(57)【要約】      （修正有）【課題】装着が容易で表示面がずれることのない新たなスタイルのチケットホルダーを実現する。【解決手段】スキー用ゴーグルＧのバンドＢに装着するチケットホルダー１０であって、カバー部材と、前記カバー部材に設けられたチケット収納部と、スキー用ゴーグルＧのバンドＢを装着可能なバンド装着部と、を備えたことを特徴とするチケットホルダーとした。【選択図】図５
2018201644.tif 000002
【特許請求の範囲】
【請求項１】
スキー用ゴーグルのバンドに装着するチケットホルダーであって、
カバー部材と、
前記カバー部材に設けられたチケット収納部と、
スキー用ゴーグルのバンドを装着可能なバンド装着部と、
を備えたことを特徴とするチケットホルダー。
【請求項２】
前記カバー部材は、少なくとも対向する２辺を有し、
前記カバー部材の第１主面における一方の一辺に設けた留め部材と、
前記カバー部材の第１主面における対向する他方の一辺に設けられ、当該カバー部材の第１主面を内側にして２つに折り畳んだ際に、前記留め部材と対をなして接合可能な受け部材と、を備え、
前記バンド装着部は、前記カバー部材の第１主面を内側にして２つに折り畳んだ際にできる前記カバー部材の第１主面同士が対向する空間であることを特徴とする請求項１に記載のチケットホルダー。
【請求項３】
前記留め部材は、前記カバー部材の第１主面における一方の一辺両端部２ヶ所に設けられ、前記受け部材は、前記カバー部材の第１主面における対向する他方の一辺両端部２ヶ所に設けられるとともに、チケットが前記留め部材２ヶ所の間又は前記受け部材2ヶ所の間に収納可能に前記チケット収納部が構成されていることを特徴とする請求項１又は２に記載のチケットホルダー。
【請求項４】
前記留め部材及び前記受け部材は、前記カバー部材を折り畳んだ際に、対をなして接合可能なフックであることを特徴とする請求項１〜３のいずれかに記載のチケットホルダー。
【請求項５】
前記チケット収納部は、前記カバー部材の第１主面に保持シートを接合して設けたポケットであることを特徴とする請求項１〜４のいずれかに記載のチケットホルダー。
【請求項６】
第１主面の一方の一辺に留め部材を設け、また、第１主面の他方の一辺に前記留め部材と対をなして接合可能な受け部材を設けたカバー部材を備えたチケットホルダーの使用方法であって、
前記カバー部材に設けたチケット収納部にチケットを収納し、
前記留め部材と前記受け部材が対向するように前記カバー部材の第１主面を内側にして２つに折り畳んでできた空間であるバンド装着部にスキー用ゴーグルのバンドを挟み込んだ後、
前記留め部材と前記受け部材とを接合させてなることを特徴とするチケットホルダーの使用方法。
【発明の詳細な説明】
【技術分野】
【０００１】
本発明は、主としてスキー場でリフト搭乗用に使用するチケットを収納してゴーグルのバンドに装着できるチケットホルダー、及びチケットホルダーの使用方法に関するものである。
【背景技術】
【０００２】
スキー場において、リフトに搭乗するためのチケットを改札口で係員に見せたり、センサーにかざしたりすることが行われている。このため、スキーやストックを持っていても手間なくチケットを開示できることが望ましく、チケットを収納した透明のホルダーを首から吊り下げるか腕や手首に巻き付けることにより開示することが従来から行われている。
【０００３】
特許文献１には、合成樹脂を材料として二つ折りし、その表片と裏片との遊離端を結合片で仮止めし、表片にリフト券の収容ポケットを形成し、裏片の外面に結着バンドを設け、この結着バンドにより、腕等に装着して使用する構成が記載されている。
【先行技術文献】
【特許文献】
【０００４】
特許文献１：公開実用新案公報平１−１４５２１４
【発明の概要】
【発明が解決しようとする課題】
【０００５】
しかしながら、特許文献１に記載のもののように、腕等に装着して使用するホルダーは、スキーウエアを着ているため装着に手間がかかる上、スキーをしている間にチケットの表示面が体の内側等に隠れてしまって見えにくくなるという問題があった。
【０００６】
本発明は、上記問題点を解決して、装着が容易で表示面がずれることのない新たなスタイルのチケットホルダーを実現することを課題とする。
【課題を解決するための手段】
【０００７】
上記課題を解決するために本発明は、スキー用ゴーグルのバンドに装着するチケットホルダーであって、
カバー部材と、
前記カバー部材に設けられたチケット収納部と、
スキー用ゴーグルのバンドを装着可能なバンド装着部と、
を備えたことを特徴とするチケットホルダーを提供するものである。
【０００８】
この構成により、装着が容易で表示面がずれることのない新たなスタイルのチケットホルダーを実現することができる。
【０００９】
前記カバー部材は、少なくとも対向する２辺を有し、
前記カバー部材の第１主面における一方の一辺に設けた留め部材と、
前記カバー部材の第１主面における対向する他方の一辺に設けられ、当該カバー部材の第１主面を内側にして２つに折り畳んだ際に、前記留め部材と対をなして接合可能な受け部材と、を備え、
前記バンド装着部は、前記カバー部材の第１主面を内側にして２つに折り畳んだ際にできる前記カバー部材の第１主面同士が対向する空間である構成としてもよい。
【００１０】
この構成により、ゴーグルのバンドの装着が容易なチケットホルダーとすることができる。
【００１１】
前記留め部材は、前記カバー部材の第１主面における一方の一辺両端部２ヶ所に設けられ、前記受け部材は、前記カバー部材の第１主面における対向する他方の一辺両端部２ヶ所に設けられるとともに、チケットが前記留め部材２ヶ所の間又は前記受け部材2ヶ所の間に収納可能に前記チケット収納部が構成されていてもよい。
【００１２】
この構成により、ゴーグルのバンド幅に近く、高さがコンパクトなチケットホルダーとすることができる。
【００１３】
前記留め部材及び前記受け部材は、前記カバー部材を折り畳んだ際に、対をなして接合可能なフックである構成としてもよい。
【００１４】
この構成により、接合、離合が容易で、かつ長寿命の留め部材及び受け部材とすることができる。
【００１５】
前記チケット収納部は、前記カバー部材の第１主面に保持シートを接合して設けたポケットである構成としてもよい。
【００１６】
この構成により、簡易な構成で確実にチケットを収納できるとともに、カバー部材を折り畳むことにより雨や雪がチケット収納部に入り込むことがない。
【００１７】
また、上記課題を解決するために本発明は、第１主面の一方の一辺に留め部材を設け、また、第１主面の他方の一辺に前記留め部材と対をなして接合可能な受け部材を設けたカバー部材を備えたチケットホルダーの使用方法であって、
前記カバー部材に設けたチケット収納部にチケットを収納し、
前記留め部材と前記受け部材が対向するように前記カバー部材の第１主面を内側にして２つに折り畳んでできた空間であるバンド装着部にスキー用ゴーグルのバンドを挟み込んだ後、
前記留め部材と前記受け部材とを接合させてなることを特徴とするチケットホルダーの使用方法を提供するものである。
【００１８】
この構成により、装着が容易で表示面がずれることのない新たなスタイルのチケットホルダーを実現することができる。
【発明の効果】
【００１９】
本発明のチケットホルダー、及びチケットホルダーの使用方法により、装着が容易で表示面がずれることのない新たなスタイルのチケットホルダーを実現することができる。
【図面の簡単な説明】
【００２０】
【図１】本発明の実施例１におけるチケットホルダーを第１面側からみた図である。
【図２】本発明の実施例１におけるチケットホルダーを第２面側からみた図である。
【図３】本発明の実施例１におけるチケットホルダーを２つに折り畳んだ状態を説明する図である。
【図４】本発明の実施例１におけるチケットホルダーにチケットを収納した状態を説明する図である。
【図５】本発明の実施例１におけるチケットホルダーをゴーグルのバンドに装着した状態を説明する図である。
【図６】本発明の実施例１におけるチケットホルダーをゴーグルのバンドに装着した状態を説明する断面図である。
【図７】本発明の実施例２におけるチケットホルダーを第１面側からみた正面図である。
【図８】本発明の実施例３におけるチケットホルダーを第１面側からみた正面図である。
【発明を実施するための形態】
【実施例１】
【００２１】
本発明における実施例１を図１〜図６を参照して説明する。図１は、本発明の実施例１におけるチケットホルダーを第１面側からみた図である。図２は、本発明の実施例１におけるチケットホルダーを第２面側からみた図である。図３は、本発明の実施例１におけるチケットホルダーを２つに折り畳んだ状態を説明する図である。図４は、本発明の実施例１におけるチケットホルダーにチケットを収納した状態を説明する図である。図５は、本発明の実施例１におけるチケットホルダーをゴーグルのバンドに装着した状態を説明する図である。図６は、本発明の実施例１におけるチケットホルダーをゴーグルのバンドに装着した状態を説明する断面図である。
【００２２】
（チケットホルダー）
図１、図２における（ａ）は、正面図を示し、（ｂ）は底面図、（ｃ）は上面図、（ｄ）は左側面図、（ｅ）は右側面図を示している。また、図２（ａ）は図１（ａ）の裏面図を示している。
【００２３】
図１、図２に示すように、実施例１におけるチケットホルダー１０は、略四角形からなるカバー部材１の第１面における一方の一辺両端部２ヶ所に留め部材３（３ａ、３ｂ）が設けられ、対向する他方の一辺両端部２ヶ所に受け部材４（４ａ、４ｂ）が設けられている。カバー部材１の大きさは、幅が約１４０ｍｍ、高さが約１３０ｍｍとしているが、これはチケットＣの大きさにより任意の大きさに形成することができる。そして、カバー部材１がその中央付近で第１面を内側にして２つに折り畳まれた際に、受け部材４（４ａ、４ｂ）は留め部材３（３ａ、３ｂ）と対をなして接合可能にされている。具体的には、受け部材４（４ａ、４ｂ）及び留め部材３（３ａ、３ｂ）は、お互いに接合可能なフックからなっている。このため、チケットホルダー１０を２つに折り畳んだ際に、受け部材４（４ａ、４ｂ）及び留め部材３（３ａ、３ｂ）を向き合わせて容易に接合でき、また容易に離合できる。また、受け部材４（４ａ、４ｂ）及び留め部材３（３ａ、３ｂ）は樹脂で構成されているため摩耗性に優れ長寿命である。図３にチケットホルダー１０を２つに折り畳んで、留め部材３（３ａ、３ｂ）と受け部材４（４ａ、４ｂ）とを接合させた状態を示す。
【００２４】
カバー部材１の第１主面には、保持シート２（２ａ、２ｂ）を接合してなる２つのチケット収納部５（５ａ、５ｂ）が設けられている。保持シート２（２ａ、２ｂ）は、挿入口Ｓ（Ｓａ、Ｓｂ）を除く端部がカバー部材１の形状に重なるように同じ形状を有し、それら挿入口Ｓ（Ｓａ、Ｓｂ）を除く端部をカバー部材１の端部に接合して形成されている。これにより、チケット収納部５（５ａ、５ｂ）はポケットとなり、挿入口Ｓ（Ｓａ、Ｓｂ）からチケットＣを挿入して収納可能に構成されている。カバー部材１は塩化ビニールからなる透明の部材であり、保持シート２（２ａ、２ｂ）は半透明のポロプピレン等の合成樹脂が成型によりカバー部材１に接合されている。これにより、チケット収納部５（５ａ、５ｂ）に収納されたチケットＣはカバー部材１の外側から視認することができる。
【００２５】
なお、実施例１においては、カバー部材１に塩化ビニールを用いたが、必ずしもこれに限定されず適宜変更が可能である。例えば、ビニールレザー、ＥＶＡを含む酢酸ビニール、オレフィン等を用いることができる。また、チケットを視認することが求められる領域以外を布や合成ゴムを用いてもよい。
【００２６】
また、保持シート２（２ａ、２ｂ）は、ポリプロピレン以外にポリエチレン等を用いることができる。なお、実施例１においては、保持シート２（２ａ、２ｂ）を半透明の部材で構成するようにしたが、必ずしもこれに限定されず適宜変更が可能である。例えば、保持シート２（２ａ、２ｂ）を透明の部材で構成するようにしてもよい。
【００２７】
チケットホルダー１０を２つに折り畳んだ際に、カバー部材１の第１主面側が対向する空間、すなわち、保持シート２（２ａ、２ｂ）の間にできる空間をゴーグルのバンドＢを装着するバンド装着部としている。
【００２８】
なお、実施例１においては、チケットホルダー１０を２つに折り畳んだ際に、カバー部材１の第１主面側が対向する空間をゴーグルのバンドＢを装着するバンド装着部としたが、必ずしもこれに限定されず適宜変更が可能である。例えば、２つに折り畳んだカバー部材１の裏側に上下が接合されたバンド通し部を設け、このカバー部材１の裏側面とバンド通し部との間にできる空間をバンド装着部としてもよい。この場合は、バンド装着部の左右の隙間からバンドＢを通すようにすればよい。
【００２９】
図１（ａ）、図２（ａ）に示すように留め部材３（３ａ、３ｂ）と、受け部材４（４ａ、４ｂ）と、が設けられている部分のカバー部材１及び保持シート２（２ａ、２ｂ）はカバー部材１の中央部分よりも幅広になっている。このため、チケットＣは、留め部材３（３ａ、３ｂ）の間、及び受け部材４（４ａ、４ｂ）の間に収納することができる。これは、チケットＣをチケット収納部５（５ａ、５ｂ）に収納した際に、図４に示すようにチケットＣをチケットホルダー１０の底部まで収納して、チケットホルダー１０の高さをゴーグルＧのバンドＢの幅に近づけてコンパクトにするためである。仮に、上述の広がりがなく、留め部材３（３ａ、３ｂ）と受け部材４（４ａ、４ｂ）とが収納されたチケットＣの下方に存在すれば、チケットホルダー１０の高さが高くなりバンドＢの幅よりも大きくなってしまい、スキーをするうちにずれてしまう恐れがある。
【００３０】
このような理由から、より好ましくは、図３に示す折代６をできるだけ小さくすることが望ましい。実施例１においては、折代６は５ｍｍとしているが、１ｍｍ〜２ｍｍがより好ましい。
【００３１】
なお、実施例１においては、カバー部材１を略四角形の形状からなるように構成したが、必ずしもこれに限定されずデザインにより適宜変更が可能である。例えば、折代６付近が左右に大きく広がるような形状に構成してもよい。少なくとも対向する２辺を有するカバー部材であればよい。
【００３２】
また、実施例１においては、チケット収納部５を２つ設けるように構成したが、必ずしもこれに限定されず適宜変更が可能である。例えば、チケット収納部５ａ又はチケット収納部５ｂのみを設けるように構成してもよい。また、チケット収納部５をカバー部材１の第１主面に設けるように構成したが、必ずしもこれに限定されず適宜変更が可能である。例えば、カバー部材１の第２主面に設けるように構成してもよい。この場合は、雨や雪がチケット収納部５に入りにくくするため、挿入口Ｓを左右いずれかの側部とすればよい。
【００３３】
さらに、実施例１においては、カバー部材１を透明の部材で構成してチケット収納部５（５ａ、５ｂ）に収納されたチケットＣが外部から視認可能としたが、必ずしもこれに限定されず適宜変更が可能である。例えば、チケットＣを視認する部分のみ透明の部材で構成し、その他の部分は布等の不透明の部材で構成してもよいし、カバー部材１全てを半透明の部材で構成してもよい。また、チケットＣがＩＣチップを埋め込んだカード等である場合は、視認すること自体が不要であるので、透明・不透明を問わず任意の部材でカバー部材１を構成することができる。
【００３４】
（チケットホルダーの使用方法）
チケットホルダー１０の使用方法について、主に、図４〜図６を参照して説明する。まず、チケットホルダー１０の第１主面に設けられているチケット収納部５にチケットＣを挿入し収納する。実施例１においては、チケット収納部５が２ヶ所（５ａ、５ｂ）設けられているが、いずれか一方のチケット収納部５にチケットＣを収納すればよい。チケットＣを２枚使用する場合は、チケット収納部５（５ａ、５ｂ）の両方にチケットＣを収納する。
【００３５】
次に、図４、図５、図６に示すように、チケットホルダー１０を２つに折畳んでバンド装着部にゴーグルＧのバンドＢを挟み込んだ後、留め部材３（３ａ、３ｂ）と受け部材４（４ａ、４ｂ）とを接合させる。この際、チケットホルダー１０を挟み込むバンドＢの位置は、ゴーグルＧを顔面に装着したときに頭部側面（右側面でも左側面でもよい）に位置する箇所とするとよい。これにより、ゴーグルＧのバンドＢに装着したチケットホルダー１０に収納されたチケットＣを外部から視認することができる。チケットホルダー１０がバンドＢを挟み込んだ状態の断面図を図６に示す。
【００３６】
以上で、チケットホルダー１０をゴーグルＧのバンドＢに容易に装着することができる。そして、装着されたチケットホルダー１０は、バンドＢによって頭部にしっかりと保持されるのでずれることがない。また、ヘルメットＨの上からバンドＢを装着する際は（図５参照）、より強固にチケットホルダー１０が固定されるとともに、従来にない新たなスタイルを提供することができる。
【００３７】
このように、実施例１においては、スキー用ゴーグルのバンドに装着するチケットホルダーであって、
カバー部材と、
前記カバー部材に設けられたチケット収納部と、
スキー用ゴーグルのバンドを装着可能なバンド装着部と、
を備えたことを特徴とするチケットホルダーにより、装着が容易で表示面がずれることのない新たなスタイルのチケットホルダーを実現することができる。
【００３８】
また、第１主面の一方の一辺に留め部材を設け、また、第１主面の他方の一辺に前記留め部材と対をなして接合可能な受け部材を設けたカバー部材を備えたチケットホルダーの使用方法であって、
前記カバー部材に設けたチケット収納部にチケットを収納し、
前記留め部材と前記受け部材が対向するように前記カバー部材の第１主面を内側にして２つに折り畳んでできた空間であるバンド装着部にスキー用ゴーグルのバンドを挟み込んだ後、
前記留め部材と前記受け部材とを接合させてなることを特徴とするチケットホルダーの使用方法により、装着が容易で表示面がずれることのない新たなスタイルのチケットホルダーを実現することができる。
【実施例２】
【００３９】
本発明の実施例２は、留め部材及び受け部材に面ファスナーを用いた点で実施例１と異なっている。実施例２について、図７を参照して説明する。図７は、本発明の実施例２におけるチケットホルダー１００を第１面側からみた図である。
【００４０】
実施例２における留め部材３０及び受け部材４０は面ファスナーからなり、チケットホルダー１００を２つに折り畳んだ際に、面ファスナー同士を重ね合わせて接合することができる。
【００４１】
なお、実施例２においては、図７に示すように、チケットホルダー１００の両端部の辺に沿って留め部材３０及び受け部材４０を１つずつ設けたが、必ずしもこれに限定されず適宜変更が可能である。例えば、チケットホルダー１００の一方の一辺両端部に小さな２つの面ファスナーからなる留め部材３０（３０ａ、３０ｂ）、対向する他方の一辺両端部に小さな２つの面ファスナーからなる受け部材４０（４０ａ、４０ｂ）を設けてもよい。
【００４２】
このように、実施例２においては、留め部材３０及び受け部材４０は面ファスナーで構成することにより、接合及び離合をより容易に行うことができる。
【実施例３】
【００４３】
本発明の実施例３は、チケット収納部の形状が略四角形である点で、実施例１、２と異なっている。実施例３について図８を参照して説明する。図８は、本発明の実施例３におけるチケットホルダー２００を第１主面側からみた正面図である。
【００４４】
実施例３のチケットホルダー２００におけるチケット収納部５０（５０ａ、５０ｂ）は、略四角形状に形成されている。つまり、保持シート２０（２０ａ、２０ｂ）がチケットＣよりわずかに大きい寸法でチケットＣに合わせた形状とされてカバー部材１に接合されている。これにより、チケット収納部５０（５０ａ、５０ｂ）はポケットとして使用することができ、チケットＣを挿入口Ｓａ又はＳｂからチケット収納部５０（５０ａ、５０ｂ）に挿入して収納することができる。
【００４５】
なお、実施例３においては、チケット収納部５０（５０ａ、５０ｂ）を２ヶ所に設けたが、必ずしもこれに限定されず適宜変更が可能である。例えば、チケット収納部５０ａ又はチケット収納部５０ｂのみを設けるように構成してもよい。
【００４６】
このように実施例３においては、チケット収納部の形状を略四角形に形成したことにより、チケット収納部に収納されたチケットが踊ることなくより安定的に固定することができる。
【産業上の利用可能性】
【００４７】
本発明におけるスキー場におけるチケットホルダーの分野に広く用いることができる。
【符号の説明】
【００４８】
１：カバー部材    ２（２ａ、２ｂ）：保持シート    
３（３ａ、３ｂ）：留め部材    ４（４ａ、４ｂ）：受け部材    
５（５ａ、５ｂ）：チケット収納部    ６：折代    １０：チケットホルダー    
３０：留め部材    ４０：受け部材    １００：チケットホルダー    
２０（２０ａ、２０ｂ）：保持シート    ５０（５０ａ、５０ｂ）：チケット収納部    
２００：チケットホルダー    
Ｇ：ゴーグル    Ｂ：バンド    Ｃ：チケット    Ｈ：ヘルメット    
Ｓ（Ｓａ、Ｓｂ）：挿入口
【図１】
2018201644.tif 000003
【図２】
2018201644.tif 000004
【図３】
2018201644.tif 000005
【図４】
2018201644.tif 000006
【図５】
2018201644.tif 000007
【図６】
2018201644.tif 000008
【図７】
2018201644.tif 000009
【図８】
2018201644.tif 000010
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
スキー用ゴーグルのバンドに装着するチケットホルダーであって、
カバー部材と、
前記カバー部材の第１主面に設けられたチケット収納部と、
スキー用ゴーグルのバンドを装着可能なバンド装着部と、
を備え、
前記カバー部材は、少なくとも対向する２辺を有し、前記カバー部材の第１主面における一方の一辺両端部２ヶ所に設けた留め部材と、前記カバー部材の第１主面における対向する他方の一辺両端部２ヶ所に設けられ、当該カバー部材の第１主面を内側にして２つに折り畳んだ際に、前記留め部材と対をなして接合可能な受け部材と、を有し、
前記チケット収納部は、チケットが前記留め部材２ヶ所の間又は前記受け部材２ヶ所の間に収納可能に構成されるとともに、前記チケット収納部に収納されたチケットは外側から視認可能であることを特徴とするチケットホルダー。
【請求項２】
前記バンド装着部は、前記カバー部材の第１主面を内側にして２つに折り畳んだ際にできる前記カバー部材の第１主面同士が対向する空間であることを特徴とする請求項１に記載のチケットホルダー。
【請求項３】
前記留め部材及び前記受け部材は、前記カバー部材を折り畳んだ際に、対をなして接合可能なフックであることを特徴とする請求項１又は２に記載のチケットホルダー。
【請求項４】
前記チケット収納部は、前記カバー部材の第１主面に保持シートを接合して設けたポケットであることを特徴とする請求項１〜３のいずれかに記載のチケットホルダー。
【請求項５】
前記カバー部材における前記留め部材と前記受け部材とが設けられている部分は、中央部分よりも幅広であることを特徴とする請求項１〜４のいずれかに記載のチケットホルダー。
【請求項６】
第１主面の一方の一辺に留め部材を設け、また、第１主面の他方の一辺に前記留め部材と対をなして接合可能な受け部材を設けたカバー部材を備えたチケットホルダーの使用方法であって、
前記カバー部材における前記留め部材２ヶ所の間又は前記受け部材2ヶ所の間、かつ、当該カバー部材の第１主面に設けられたチケット収納部にチケットを収納して外側から視認可能とし、
前記留め部材と前記受け部材が対向するように前記カバー部材の第１主面を内側にして２つに折り畳んでできた空間であるバンド装着部にスキー用ゴーグルのバンドを挟み込んだ後、
前記留め部材と前記受け部材とを接合させてなることを特徴とするチケットホルダーの使用方法。
【手続補正２】
【補正対象書類名】明細書
【補正対象項目名】０００７
【補正方法】変更
【補正の内容】
【０００７】
上記課題を解決するために本発明は、スキー用ゴーグルのバンドに装着するチケットホルダーであって、
カバー部材と、
前記カバー部材の第１主面に設けられたチケット収納部と、
スキー用ゴーグルのバンドを装着可能なバンド装着部と、
を備え、
前記カバー部材は、少なくとも対向する２辺を有し、前記カバー部材の第１主面における一方の一辺両端部２ヶ所に設けた留め部材と、前記カバー部材の第１主面における対向する他方の一辺両端部２ヶ所に設けられ、当該カバー部材の第１主面を内側にして２つに折り畳んだ際に、前記留め部材と対をなして接合可能な受け部材と、を有し、
前記チケット収納部は、チケットが前記留め部材２ヶ所の間又は前記受け部材２ヶ所の間に収納可能に構成されるとともに、前記チケット収納部に収納されたチケットは外側から視認可能であることを特徴とするチケットホルダーを提供するものである。
【手続補正３】
【補正対象書類名】明細書
【補正対象項目名】０００８
【補正方法】変更
【補正の内容】
【０００８】
この構成により、ゴーグルのバンド幅に近く、高さがコンパクトなチケットホルダーとすることができるとともに、装着が容易で表示面がずれることのない新たなスタイルのチケットホルダーを実現することができる。
【手続補正４】
【補正対象書類名】明細書
【補正対象項目名】０００９
【補正方法】変更
【補正の内容】
【０００９】
前記バンド装着部は、前記カバー部材の第１主面を内側にして２つに折り畳んだ際にできる前記カバー部材の第１主面同士が対向する空間である構成としてもよい。
【手続補正５】
【補正対象書類名】明細書
【補正対象項目名】００１１
【補正方法】変更
【補正の内容】
【００１１】
前記留め部材及び前記受け部材は、前記カバー部材を折り畳んだ際に、対をなして接合可能なフックである構成としてもよい。
【手続補正６】
【補正対象書類名】明細書
【補正対象項目名】００１２
【補正方法】変更
【補正の内容】
【００１２】
この構成により、接合、離合が容易で、かつ長寿命の留め部材及び受け部材とすることができる。
【手続補正７】
【補正対象書類名】明細書
【補正対象項目名】００１３
【補正方法】変更
【補正の内容】
【００１３】
前記チケット収納部は、前記カバー部材の第１主面に保持シートを接合して設けたポケットである構成としてもよい。
【手続補正８】
【補正対象書類名】明細書
【補正対象項目名】００１４
【補正方法】変更
【補正の内容】
【００１４】
この構成により、簡易な構成で確実にチケットを収納できるとともに、カバー部材を折り畳むことにより雨や雪がチケット収納部に入り込むことがない。
【手続補正９】
【補正対象書類名】明細書
【補正対象項目名】００１５
【補正方法】変更
【補正の内容】
【００１５】
前記カバー部材における前記留め部材と前記受け部材とが設けられている部分は、中央部分よりも幅広である構成としてもよい。
【手続補正１０】
【補正対象書類名】明細書
【補正対象項目名】００１６
【補正方法】変更
【補正の内容】
【００１６】
この構成により、チケットを留め部材又は受け部材の間に収納でき、新たなスタイルのチケットホルダーを実現することができる。
【手続補正１１】
【補正対象書類名】明細書
【補正対象項目名】００１７
【補正方法】変更
【補正の内容】
【００１７】
また、上記課題を解決するために本発明は、第１主面の一方の一辺に留め部材を設け、また、第１主面の他方の一辺に前記留め部材と対をなして接合可能な受け部材を設けたカバー部材を備えたチケットホルダーの使用方法であって、
前記カバー部材における前記留め部材２ヶ所の間又は前記受け部材2ヶ所の間、かつ、当該カバー部材の第１主面に設けられたチケット収納部にチケットを収納して外側から視認可能とし、
前記留め部材と前記受け部材が対向するように前記カバー部材の第１主面を内側にして２つに折り畳んでできた空間であるバンド装着部にスキー用ゴーグルのバンドを挟み込んだ後、
前記留め部材と前記受け部材とを接合させてなることを特徴とするチケットホルダーの使用方法を提供するものである。
【手続補正１２】
【補正対象書類名】明細書
【補正対象項目名】００１８
【補正方法】変更
【補正の内容】
【００１８】
この構成により、ゴーグルのバンド幅に近く、高さがコンパクトなチケットホルダーとすることができるとともに、装着が容易で表示面がずれることのない新たなスタイルのチケットホルダーを実現することができる。